【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
時刻表を表示し、表示した時刻表を利用して乗り換え案内を行う乗換探索システムであって、
前記時刻表の選択可能な情報に少なくとも一つの選択手段を付す時刻表編集手段と、
前記時刻表編集手段により付された選択手段のうちの一つが選択されると、選択された選択手段に基づいて乗換探索条件入力画面を表示する際に、当該選択手段が付された前記選択可能な情報と前記表示条件とに基づく乗換探索条件を前記乗換探索条件入力画面に設定する乗換探索条件設定手段と、
前記乗換探索条件入力画面に対する乗換探索条件や前記時刻表の表示条件を含む所定の入力を受け付ける受付手段と、
前記乗換探索条件設定手段が設定した乗換探索条件と前記受付手段が受け付けた乗換探索条件とに基づいて乗換探索を行う乗換探索手段と、
を備えたことを特徴とする乗換探索システム。
【請求項２】
前記時刻表編集手段によって前記時刻表に付された選択手段は、所定の駅から所定の時刻に出発することを指定する条件指定選択手段であり、更に前記乗換探索条件入力画面に遷移する遷移指示のための選択手段である第１の選択手段であって、
前記第１の選択手段が選択されると、当該第１の選択手段の指定に基づいた出発駅及び出発時刻と、前記時刻表の表示条件に基づいた利用路線と、を乗換探索条件として設定した乗換探索条件入力画面を表示することを特徴とする請求項１に記載の乗換探索システム。
【請求項３】
前記時刻表編集手段によって前記時刻表に付された選択手段は、所定の駅に所定の時刻に到着することを指定する条件指定選択手段であり、更に前記乗換探索条件入力画面に遷移する遷移指示のための選択手段である第２の選択手段であって、
前記第２の選択手段が選択されると、当該第２の選択手段の指定に基づいた到着駅と到着時刻を乗換探索条件として設定した乗換探索条件入力画面を表示することを特徴とする請求項１に記載の乗換探索システム。
【請求項４】
前記時刻表編集手段によって前記時刻表に付された選択手段は、所定の駅から所定の時刻に出発することを指定する条件指定選択手段であり、更に前記所定の駅から所定の時刻に出発する路線の運行時刻表を表示する遷移指示のための選択手段である第３の選択手段であって、
前記第３の選択手段が選択されると、当該第３の選択手段の指定に基づいた出発駅及び出発時刻の路線の運行時刻表であって、前記時刻表編集手段により選択可能な情報に選択手段が付されている運行時刻表を表示することを特徴とする請求項１乃至請求項３のいずれか１項に記載の乗換探索システム。
【請求項５】
前記時刻表編集手段によって前記運行時刻表に付された選択手段は、所定の時刻に所定の駅を乗換駅とすることを指定する条件指定選択手段であり、更に前記所定の駅から所定の時刻に出発する乗換路線の運行時刻表を表示する遷移指示のための選択手段である第４の選択手段であって、
前記第４の選択手段が選択されると、当該第４の選択手段の指定に基づいた乗換時刻と乗換駅を乗換探索条件として設定するとともに、
前記所定の駅から乗換可能な路線が複数ある場合には乗換可能な路線の選択を受け付ける画面を表示して選択された路線を乗換路線とし、乗換可能な路線が一つの場合には当該路線を乗換路線とし、当該乗換路線の運行時刻表を表示することを特徴とする請求項４に記載の乗換探索システム。
【請求項６】
前記時刻表編集手段によって前記運行時刻表に付された選択手段は、所定の時刻に所定の駅を乗換駅とすることを指定する条件指定選択手段であり、更に前記乗換探索条件入力画面に遷移する遷移指示のための選択手段である第５の選択手段であって、
前記第５の選択手段が選択されると、当該第５の選択手段の指定に基づいた利用路線と、を乗換探索条件として設定した乗換探索条件入力画面を表示することを特徴とする請求項４に記載の乗換探索システム。
【請求項７】
時刻表を表示する端末装置に対して前記表示した時刻表を利用して乗り換え案内を行う乗換探索サーバであって、
前記端末装置において表示した時刻表の選択可能な情報に少なくとも一つの選択手段を付す時刻表編集手段と、
前記時刻表編集手段により付された選択手段のうちの一つが選択されると、選択された選択手段に基づいて乗換探索条件入力画面が前記端末装置において表示される際に、当該選択手段が付された前記選択可能な情報と前記表示条件とに基づく乗換探索条件を前記乗換探索条件入力画面に設定する乗換探索条件設定手段と、
前記乗換探索条件設定手段が設定した乗換探索条件と、前記端末装置から入力を受け付けた前記乗換探索条件入力画面に対する乗換探索条件とに基づいて乗換探索を行う乗換探索手段と、
を備えたことを特徴とする乗換探索サーバ。
【請求項８】
前記時刻表編集手段によって前記時刻表に付された選択手段は、所定の駅から所定の時刻に出発することを指定する条件指定選択手段であり、更に前記乗換探索条件入力画面に遷移する遷移指示のための選択手段である第１の選択手段であって、
前記端末装置から前記第１の選択手段が選択されると、当該第１の選択手段の指定に基づいた出発駅及び出発時刻と、前記時刻表の表示条件に基づいた利用路線と、を乗換探索条件として設定した乗換探索条件入力画面を前記端末装置において表示させることを特徴とする請求項７に記載の乗換探索サーバ。
【請求項９】
前記時刻表編集手段によって前記時刻表に付された選択手段は、所定の駅に所定の時刻に到着することを指定する条件指定選択手段であり、更に前記乗換探索条件入力画面に遷移する遷移指示のための選択手段である第２の選択手段であって、
前記端末装置から前記第２の選択手段が選択されると、当該第２の選択手段の指定に基づいた到着駅と到着時刻を乗換探索条件として設定した乗換探索条件入力画面を前記端末装置において表示させることを特徴とする請求項７に記載の乗換探索サーバ。
【請求項１０】
前記時刻表編集手段によって前記時刻表に付された選択手段は、所定の駅から所定の時刻に出発することを指定する条件指定選択手段であり、更に前記所定の駅から所定の時刻に出発する路線の運行時刻表を表示する遷移指示のための選択手段である第３の選択手段であって、
前記端末装置から前記第３の選択手段が選択されると、当該第３の選択手段の指定に基づいた出発駅及び出発時刻の路線の運行時刻表であって、前記時刻表編集手段により選択可能な情報に選択手段が付されている運行時刻表を前記端末装置において表示させることを特徴とする請求項７乃至請求項９のいずれか１項に記載の乗換探索サーバ。
【請求項１１】
前記時刻表編集手段によって前記運行時刻表に付された選択手段は、所定の時刻に所定の駅を乗換駅とすることを指定する条件指定選択手段であり、更に前記所定の駅から所定の時刻に出発する乗換路線の運行時刻表を表示する遷移指示のための選択手段である第４の選択手段であって、
前記端末装置から前記第４の選択手段が選択されると、当該第４の選択手段の指定に基づいた乗換時刻と乗換駅を乗換探索条件として設定するとともに、
前記所定の駅から乗換可能な路線が複数ある場合には乗換可能な路線の選択を受け付ける画面を表示して選択された路線を乗換路線とし、乗換可能な路線が一つの場合には当該路線を乗換路線とし、当該乗換路線の運行時刻表を前記端末装置において表示させることを特徴とする請求項１０に記載の乗換探索サーバ。
【請求項１２】
前記時刻表編集手段によって前記運行時刻表に付された選択手段は、所定の時刻に所定の駅を乗換駅とすることを指定する条件指定選択手段であり、更に前記乗換探索条件入力画面に遷移する遷移指示のための選択手段である第５の選択手段であって、
前記端末装置から前記第５の選択手段が選択されると、当該第５の選択手段の指定に基づいた乗換駅及び乗換時刻と、前記時刻表の表示条件に基づいた利用路線と、を乗換探索条件として設定した乗換探索条件入力画面を前記端末装置において表示させることを特徴とする請求項１０に記載の乗換探索サーバ。
【請求項１３】
時刻表を表示し、表示した時刻表を利用して乗り換え案内を行う乗換探索システムにおける乗換探索方法であって、
前記時刻表の選択可能な情報に少なくとも一つの選択手段を付し、
前記選択手段のうちの一つが選択されると、選択された選択手段に基づいて乗換探索条件入力画面を表示する際に、当該選択手段が付された前記選択可能な情報と前記表示条件とに基づく乗換探索条件を前記乗換探索条件入力画面に設定し、
前記乗換探索条件入力画面に対する乗換探索条件を含む所定の入力を受け付け、
前記設定された乗換探索条件と前記受け付けた乗換探索条件とに基づいて乗換探索を行うことを特徴とする乗換探索方法。
【請求項１４】
前記時刻表に付された選択手段は、所定の駅から所定の時刻に出発することを指定する条件指定選択手段であり、更に前記乗換探索条件入力画面に遷移する遷移指示のための選択手段である第１の選択手段であって、
前記第１の選択手段が選択されると、当該第１の選択手段の指定に基づいた出発駅及び出発時刻と、前記時刻表の表示条件に基づいた利用路線と、を乗換探索条件として設定した乗換探索条件入力画面を表示することを特徴とする請求項１３に記載の乗換探索方法。
【請求項１５】
前記時刻表に付された選択手段は、所定の駅に所定の時刻に到着することを指定する条件指定選択手段であり、更に前記乗換探索条件入力画面に遷移する遷移指示のための選択手段である第２の選択手段であって、
前記第２の選択手段が選択されると、当該第２の選択手段の指定に基づいた到着駅と到着時刻を乗換探索条件として設定した乗換探索条件入力画面を表示することを特徴とする請求項１３に記載の乗換探索方法。
【請求項１６】
前記時刻表に付された選択手段は、所定の駅から所定の時刻に出発することを指定する条件指定選択手段であり、更に前記所定の駅から所定の時刻に出発する路線の運行時刻表を表示する遷移指示のための選択手段である第３の選択手段であって、
前記第３の選択手段が選択されると、当該第３の選択手段の指定に基づいた出発駅及び出発時刻の路線の運行時刻表であって、前記時刻表編集手段により選択可能な情報に選択手段が付されている運行時刻表を表示することを特徴とする請求項１３乃至請求項１５のいずれか１項に記載の乗換探索方法。
【請求項１７】
前記運行時刻表に付された選択手段は、所定の時刻に所定の駅を乗換駅とすることを指定する条件指定選択手段であり、更に前記所定の駅から所定の時刻に出発する乗換路線の運行時刻表を表示する遷移指示のための選択手段である第４の選択手段であって、
前記第４の選択手段が選択されると、当該第４の選択手段の指定に基づいた乗換時刻と乗換駅を乗換探索条件として設定するとともに、
前記所定の駅から乗換可能な路線が複数ある場合には乗換可能な路線の選択を受け付ける画面を表示して選択された路線を乗換路線とし、乗換可能な路線が一つの場合には当該路線を乗換路線とし、当該乗換路線の運行時刻表を表示することを特徴とする請求項１６に記載の乗換探索方法。
【請求項１８】
前記運行時刻表に付された選択手段は、所定の時刻に所定の駅を乗換駅とすることを指定する条件指定選択手段であり、更に前記乗換探索条件入力画面に遷移する遷移指示のための選択手段である第５の選択手段であって、
前記第５の選択手段が選択されると、当該第５の選択手段の指定に基づいた乗換駅及び乗換時刻と、前記時刻表の表示条件に基づいた利用路線と、を乗換探索条件として設定した乗換探索条件入力画面を表示することを特徴とする請求項１６に記載の乗換探索方法。
【手続補正２】
【補正対象書類名】明細書
【補正対象項目名】００１２
【補正方法】変更
【補正の内容】
【００１２】
時刻表を表示し、表示した時刻表を利用して乗り換え案内を行う乗換探索システムであって、
前記時刻表の選択可能な情報に少なくとも一つの選択手段を付す時刻表編集手段と、
前記時刻表編集手段により付された選択手段のうちの一つが選択されると、選択された選択手段に基づいて乗換探索条件入力画面を表示する際に、当該選択手段が付された前記選択可能な情報と前記表示条件とに基づく乗換探索条件を前記乗換探索条件入力画面に設定する乗換探索条件設定手段と、
前記乗換探索条件入力画面に対する乗換探索条件や前記時刻表の表示条件を含む所定の入力を受け付ける受付手段と、
前記乗換探索条件設定手段が設定した乗換探索条件と前記受付手段が受け付けた乗換探索条件とに基づいて乗換探索を行う乗換探索手段と、
を備えたことを特徴とする。
【手続補正３】
【補正対象書類名】明細書
【補正対象項目名】００１３
【補正方法】変更
【補正の内容】
【００１３】
また、本発明の乗換探索システムの一態様において、前記時刻表編集手段によって前記時刻表に付された選択手段は、所定の駅から所定の時刻に出発することを指定する条件指定選択手段であり、更に前記乗換探索条件入力画面に遷移する遷移指示のための選択手段である第１の選択手段であって、
前記第１の選択手段が選択されると、当該第１の選択手段の指定に基づいた出発駅及び出発時刻と、前記時刻表の表示条件に基づいた利用路線と、を乗換探索条件として設定した乗換探索条件入力画面を表示することを特徴とする。
【手続補正４】
【補正対象書類名】明細書
【補正対象項目名】００１４
【補正方法】変更
【補正の内容】
【００１４】
また、本発明の乗換探索システムの一態様において、前記時刻表編集手段によって前記時刻表に付された選択手段は、所定の駅に所定の時刻に到着することを指定する条件指定選択手段であり、更に前記乗換探索条件入力画面に遷移する遷移指示のための選択手段である第２の選択手段であって、
前記第２の選択手段が選択されると、当該第２の選択手段の指定に基づいた到着駅と到着時刻を乗換探索条件として設定した乗換探索条件入力画面を表示することを特徴とする。
【手続補正５】
【補正対象書類名】明細書
【補正対象項目名】００１５
【補正方法】変更
【補正の内容】
【００１５】
また、本発明の乗換探索システムの一態様において、前記時刻表編集手段によって前記時刻表に付された選択手段は、所定の駅から所定の時刻に出発することを指定する条件指定選択手段であり、更に前記所定の駅から所定の時刻に出発する路線の運行時刻表を表示する遷移指示のための選択手段である第３の選択手段であって、
前記第３の選択手段が選択されると、当該第３の選択手段の指定に基づいた出発駅及び出発時刻の路線の運行時刻表であって、前記時刻表編集手段により選択可能な情報に選択手段が付されている運行時刻表を表示
することを特徴とする。
【手続補正６】
【補正対象書類名】明細書
【補正対象項目名】００１６
【補正方法】変更
【補正の内容】
【００１６】
また、本発明の乗換探索システムの一態様において、前記時刻表編集手段によって前記運行時刻表に付された選択手段は、所定の時刻に所定の駅を乗換駅とすることを指定する条件指定選択手段であり、更に前記所定の駅から所定の時刻に出発する乗換路線の運行時刻表を表示する遷移指示のための選択手段である第４の選択手段であって、
前記第４の選択手段が選択されると、当該第４の選択手段の指定に基づいた乗換時刻と乗換駅を乗換探索条件として設定するとともに、
前記所定の駅から乗換可能な路線が複数ある場合には乗換可能な路線の選択を受け付ける画面を表示して選択された路線を乗換路線とし、乗換可能な路線が一つの場合には当該路線を乗換路線とし、当該乗換路線の運行時刻表を表示することを特徴とする。
【手続補正７】
【補正対象書類名】明細書
【補正対象項目名】００１７
【補正方法】変更
【補正の内容】
【００１７】
また、本発明の乗換探索システムの一態様において、前記時刻表編集手段によって前記運行時刻表に付された選択手段は、所定の時刻に所定の駅を乗換駅とすることを指定する条件指定選択手段であり、更に前記乗換探索条件入力画面に遷移する遷移指示のための選択手段である第５の選択手段であって、
前記第５の選択手段が選択されると、当該第５の選択手段の指定に基づいた利用路線と、を乗換探索条件として設定した乗換探索条件入力画面を表示することを特徴とする。
【手続補正８】
【補正対象書類名】明細書
【補正対象項目名】００１８
【補正方法】変更
【補正の内容】
【００１８】
また、本発明の乗換探索サーバの発明は、時刻表を表示する端末装置に対して前記表示した時刻表を利用して乗り換え案内を行う乗換探索サーバであって、
前記端末装置において表示した時刻表の選択可能な情報に少なくとも一つの選択手段を付す時刻表編集手段と、
前記時刻表編集手段により付された選択手段のうちの一つが選択されると、選択された選択手段に基づいて乗換探索条件入力画面が前記端末装置において表示される際に、当該選択手段が付された前記選択可能な情報と前記表示条件とに基づく乗換探索条件を前記乗換探索条件入力画面に設定する乗換探索条件設定手段と、
前記乗換探索条件設定手段が設定した乗換探索条件と、前記端末装置から入力を受け付けた前記乗換探索条件入力画面に対する乗換探索条件とに基づいて乗換探索を行う乗換探索手段と、
を備えたことを特徴とする。
【手続補正９】
【補正対象書類名】明細書
【補正対象項目名】００１９
【補正方法】変更
【補正の内容】
【００１９】
また、本発明の乗換探索サーバの一態様において、前記時刻表編集手段によって前記時刻表に付された選択手段は、所定の駅から所定の時刻に出発することを指定する条件指定選択手段であり、更に前記乗換探索条件入力画面に遷移する遷移指示のための選択手段である第１の選択手段であって、
前記端末装置から前記第１の選択手段が選択されると、当該第１の選択手段の指定に基づいた出発駅及び出発時刻と、前記時刻表の表示条件に基づいた利用路線と、を乗換探索条件として設定した乗換探索条件入力画面を前記端末装置において表示させることを特徴とする。
【手続補正１０】
【補正対象書類名】明細書
【補正対象項目名】００２０
【補正方法】変更
【補正の内容】
【００２０】
また、本発明の乗換探索サーバの一態様において、前記時刻表編集手段によって前記時刻表に付された選択手段は、所定の駅に所定の時刻に到着することを指定する条件指定選択手段であり、更に前記乗換探索条件入力画面に遷移する遷移指示のための選択手段である第２の選択手段であって、
前記端末装置から前記第２の選択手段が選択されると、当該第２の選択手段の指定に基づいた到着駅と到着時刻を乗換探索条件として設定した乗換探索条件入力画面を前記端末装置において表示させることを特徴とする。
【手続補正１１】
【補正対象書類名】明細書
【補正対象項目名】００２１
【補正方法】変更
【補正の内容】
【００２１】
また、本発明の乗換探索サーバの一態様において、前記時刻表編集手段によって前記時刻表に付された選択手段は、所定の駅から所定の時刻に出発することを指定する条件指定選択手段であり、更に前記所定の駅から所定の時刻に出発する路線の運行時刻表を表示する遷移指示のための選択手段である第３の選択手段であって、
前記端末装置から前記第３の選択手段が選択されると、当該第３の選択手段の指定に基づいた出発駅及び出発時刻の路線の運行時刻表であって、前記時刻表編集手段により選択可能な情報に選択手段が付されている運行時刻表を前記端末装置において表示させることを特徴とする。
【手続補正１２】
【補正対象書類名】明細書
【補正対象項目名】００２２
【補正方法】変更
【補正の内容】
【００２２】
また、本発明の乗換探索サーバの一態様において、前記時刻表編集手段によって前記運行時刻表に付された選択手段は、所定の時刻に所定の駅を乗換駅とすることを指定する条件指定選択手段であり、更に前記所定の駅から所定の時刻に出発する乗換路線の運行時刻表を表示する遷移指示のための選択手段である第４の選択手段であって、
前記端末装置から前記第４の選択手段が選択されると、当該第４の選択手段の指定に基づいた乗換時刻と乗換駅を乗換探索条件として設定するとともに、
前記所定の駅から乗換可能な路線が複数ある場合には乗換可能な路線の選択を受け付ける画面を表示して選択された路線を乗換路線とし、乗換可能な路線が一つの場合には当該路線を乗換路線とし、当該乗換路線の運行時刻表を前記端末装置において表示させることを特徴とする。
【手続補正１３】
【補正対象書類名】明細書
【補正対象項目名】００２３
【補正方法】変更
【補正の内容】
【００２３】
また、本発明の乗換探索サーバの一態様において、前記時刻表編集手段によって前記運行時刻表に付された選択手段は、所定の時刻に所定の駅を乗換駅とすることを指定する条件指定選択手段であり、更に前記乗換探索条件入力画面に遷移する遷移指示のための選択手段である第５の選択手段であって、
前記端末装置から前記第５の選択手段が選択されると、当該第５の選択手段の指定に基づいた乗換駅及び乗換時刻と、前記時刻表の表示条件に基づいた利用路線と、を乗換探索条件として設定した乗換探索条件入力画面を前記端末装置において表示させることを特徴とする。
【手続補正１４】
【補正対象書類名】明細書
【補正対象項目名】００２４
【補正方法】変更
【補正の内容】
【００２４】
また、本発明の乗換探索方法の発明は、時刻表を表示し、表示した時刻表を利用して乗り換え案内を行う乗換探索システムにおける乗換探索方法であって、
前記時刻表の選択可能な情報に少なくとも一つの選択手段を付し、
前記選択手段のうちの一つが選択されると、選択された選択手段に基づいて乗換探索条件入力画面を表示する際に、当該選択手段が付された前記選択可能な情報と前記表示条件とに基づく乗換探索条件を前記乗換探索条件入力画面に設定し、
前記乗換探索条件入力画面に対する乗換探索条件を含む所定の入力を受け付け、
前記設定された乗換探索条件と前記受け付けた乗換探索条件とに基づいて乗換探索を行うことを特徴とする。
【手続補正１５】
【補正対象書類名】明細書
【補正対象項目名】００２５
【補正方法】変更
【補正の内容】
【００２５】
また、本発明の乗換探索方法の一態様において、前記時刻表に付された選択手段は、所定の駅から所定の時刻に出発することを指定する条件指定選択手段であり、更に前記乗換探索条件入力画面に遷移する遷移指示のための選択手段である第１の選択手段であって、
前記第１の選択手段が選択されると、当該第１の選択手段の指定に基づいた出発駅及び出発時刻と、前記時刻表の表示条件に基づいた利用路線と、を乗換探索条件として設定した乗換探索条件入力画面を表示することを特徴とする。
【手続補正１６】
【補正対象書類名】明細書
【補正対象項目名】００２６
【補正方法】変更
【補正の内容】
【００２６】
また、本発明の乗換探索方法の一態様において、前記時刻表に付された選択手段は、所定の駅に所定の時刻に到着することを指定する条件指定選択手段であり、更に前記乗換探索条件入力画面に遷移する遷移指示のための選択手段である第２の選択手段であって、
前記第２の選択手段が選択されると、当該第２の選択手段の指定に基づいた到着駅と到着時刻を乗換探索条件として設定した乗換探索条件入力画面を表示することを特徴とする。
【手続補正１７】
【補正対象書類名】明細書
【補正対象項目名】００２７
【補正方法】変更
【補正の内容】
【００２７】
また、本発明の乗換探索方法の一態様において、前記時刻表に付された選択手段は、所定の駅から所定の時刻に出発することを指定する条件指定選択手段であり、更に前記所定の駅から所定の時刻に出発する路線の運行時刻表を表示する遷移指示のための選択手段である第３の選択手段であって、
前記第３の選択手段が選択されると、当該第３の選択手段の指定に基づいた出発駅及び出発時刻の路線の運行時刻表であって、前記時刻表編集手段により選択可能な情報に選択手段が付されている運行時刻表を表示することを特徴とする。
【手続補正１８】
【補正対象書類名】明細書
【補正対象項目名】００２８
【補正方法】変更
【補正の内容】
【００２８】
また、本発明の乗換探索方法の一態様において、前記運行時刻表に付された選択手段は、所定の時刻に所定の駅を乗換駅とすることを指定する条件指定選択手段であり、更に前記所定の駅から所定の時刻に出発する乗換路線の運行時刻表を表示する遷移指示のための選択手段である第４の選択手段であって、
前記第４の選択手段が選択されると、当該第４の選択手段の指定するとともに、
前記所定の駅から乗換可能な路線が複数ある場合には乗換可能な路線の選択を受け付ける画面を表示して選択された路線を乗換路線とし、乗換可能な路線が一つの場合には当該路線を乗換路線とし、当該乗換路線の運行時刻表を表示することを特徴とする。
【手続補正１９】
【補正対象書類名】明細書
【補正対象項目名】００２９
【補正方法】変更
【補正の内容】
【００２９】
また、本発明の乗換探索方法の一態様において、前記運行時刻表に付された選択手段は、所定の時刻に所定の駅を乗換駅とすることを指定する条件指定選択手段であり、更に前記乗換探索条件入力画面に遷移する遷移指示のための選択手段である第５の選択手段であって、
前記第５の選択手段が選択されると、当該第５の選択手段の指定に基づいた乗換駅及び乗換時刻と、前記時刻表の表示条件に基づいた利用路線と、を乗換探索条件として設定した乗換探索条件入力画面を表示することを特徴とする。
【手続補正２０】
【補正対象書類名】明細書
【補正対象項目名】００３０
【補正方法】変更
【補正の内容】
【００３０】
本発明の乗換探索システムによれば、時刻表を用いて利用路線などの乗換探索条件を設定する際に、乗換探索条件入力画面への選択手段が付されている時刻表の選択可能な情報を指定することにより、この選択可能な情報に対応する乗換探索条件を乗換探索条件入力画面に設定するように構成されている。これにより、時刻表の選択可能な情報から利用路線などの乗換探索条件を容易に指定することができるため、乗換探索において利用したい路線などを明確に指定でき、さらに指定した路線を利用した乗換探索結果を容易に得ることが可能となる。
【手続補正２１】
【補正対象書類名】明細書
【補正対象項目名】００３３
【補正方法】変更
【補正の内容】
【００３３】
本発明の乗換探索システムの一態様によれば、時刻表の選択可能な情報に所定の駅から所定の時刻に出発する路線の運行時刻表への選択手段を付すことにより、この選択可能な情報を指定することにより、所望の運行時刻表を表示させ、この運行時刻表の内容を考慮して乗換探索条件を容易に指定することができるため、乗換探索において利用したい路線などを明確に指定でき、さらに指定した路線を利用した乗換探索結果を容易に得ることが可能となる。
【手続補正２２】
【補正対象書類名】明細書
【補正対象項目名】００３４
【補正方法】変更
【補正の内容】
【００３４】
本発明の乗換探索システムの一態様によれば、運行時刻表の選択可能な情報に所望の乗換駅において乗換可能な路線の運行時刻表への選択手段を付すことにより、この選択可能な情報を指定することにより、所望の乗換可能な路線の運行時刻表を表示させ、この運行時刻表の内容を考慮して乗換探索条件を容易に指定することができるため、乗換探索において利用したい路線などを明確に指定でき、さらに指定した路線を利用した乗換探索結果を容易に得ることが可能となる。
【手続補正２３】
【補正対象書類名】明細書
【補正対象項目名】００３５
【補正方法】変更
【補正の内容】
【００３５】
本発明の乗換探索システムの一態様によれば、運行時刻表の選択可能な情報に所望の乗換駅において乗換可能な路線の運行時刻表への選択手段を付すことにより、この選択可能な情報を指定することにより、所望の乗換駅を利用した乗換探索条件を容易に指定することができるため、乗換探索において利用したい路線などを明確に指定でき、さらに指定した路線を利用した乗換探索結果を容易に得ることが可能となる。